(57)【特許請求の範囲】
【請求項１】
調理機器用の開口部が側端部近傍に形成された樹脂製のキッチンカウンタにおいて、
前記開口部の外周部分を形成する前記側端部側を別体の開口部形成体によって形成したことを特徴とするキッチンカウンタ。
【請求項２】
平面視長方形状の本体と、当該本体の後端側から起立するバックガードと、前端側から垂下する前垂れと、前記本体の側端部近傍に形成された調理機器用の開口部とを備えた樹脂製のキッチンカウンタにおいて、
前記開口部の外周部分を形成する前記側端部側を別体の開口部形成体により形成するとともに、当該開口部形成体を、前記開口部の前後開口幅に対応する長さに設けたことを特徴とするキッチンカウンタ。
【発明の詳細な説明】
【技術分野】
【０００１】
本発明はキッチンカウンタに係り、特に、調理機器用の開口部を形成する側端部側の外周部分を、別体の開口部形成体を用いて形成したキッチンカウンタに関する。
【背景技術】
【０００２】
公知のシステムキッチンは、例えば、図６及び図７に示されるように、内部に収納空間を備えたキャビネット５０と、当該キャビネット５０の上部に配置されるキッチンカウンタ５１とを備えて構成されている。キッチンカウンタ５１としては、熱硬化性樹脂を成形材料として成形された人造大理石が知られており、当該キッチンカウンタ５１の側端部寄りに開口部５２を設けて当該開口部５２に図示しない調理機器が配置できるようになっている。
【０００３】
特許文献１には、人造大理石によるキッチンカウンタが開示されている。このキッチンカウンタは、調理機器を配置するための開口部を備えているとともに、裏面側に補強用の桟材を配設して構成されている。
【先行技術文献】
【特許文献】
【０００４】
【特許文献１】特開２００６−６５５４号公報
【発明の概要】
【発明が解決しようとする課題】
【０００５】
上記キッチンカウンタ５１は、換気扇の配置位置との関係において、側端部５１Ａに接近した位置に開口部５２を形成し、側端部５１Ａと開口部５２との間に存在する外周部分５１Ｂの幅Ｗを、例えば、２０ｍｍ程度に設定する場合がある。
このようなキッチンカウンタ５１を熱硬化性樹脂により形成した場合、当該キッチンカウンタ５１を輸送するときや、キャビネット５０への組立作業時に、前記外周部分５１Ｂを壁などにぶつけて折損してしまう、という不都合がある。この点、ステンレス製のキッチンカウンタであれば折損のおそれはないが、人造大理石調の樹脂製のキッチンカウンタの場合は、折損のおそれを回避することができない。
【０００６】
［発明の目的］
本発明の目的は、このような不都合に着目して案出されたものであり、その目的は、調理機器用の開口部を形成する側端部側の外周部分が折損してしまうおそれを回避することのできる樹脂製のキッチンカウンタを提供することにある。
【課題を解決するための手段】
【０００７】
前記目的を達成するため、本発明は、特許請求の範囲記載の構成を採用したものである。具体的には、調理機器用の開口部が側端部近傍に形成された樹脂製のキッチンカウンタにおいて、
前記開口部の外周部分を形成する前記側端部側を別体の開口部形成体によって形成する、という構成を採っている。
【０００８】
また、本発明は、平面視長方形状の本体と、当該本体の後端側から起立するバックガードと、前端側から垂下する前垂れと、前記本体の側端部近傍に形成された調理機器用の開口部とを備えた樹脂製のキッチンカウンタにおいて、
前記開口部の外周部分を形成する前記側端部側を別体の開口部形成体により形成するとともに、当該開口部形成体を、前記開口部の前後開口幅に対応する長さに設ける、という構成を採ることが好ましい。
【発明の効果】
【０００９】
本発明によれば、開口部の外周部分を別体の開口部形成体により形成したことで、キッチンカウンタを輸送するとき等に折損するリスクを回避できることになる。このキッチンカウンタは、キャビネットの上部にカウンタ本体を固定すると同時に、開口部形成体を別途に固定するだけで、外周が閉ループ状となる開口部を形成することができるため、開口部形成体を別体とした場合の施工負担も実質的には生じない。
また、開口部の前後開口幅に対応する長さの開口部形成体とすることで、折損し易い領域若しくは部位をできるだけ少なくすることができる。
【図面の簡単な説明】
【００１０】
【図１】本実施形態に係るキッチンカウンタを備えたシステムキッチンの要部概略斜視図。
【図２】図１の一部分解斜視図。
【図３】開口部形成体をキャビネットに固定する一例を示す要部断面図。
【図４】図１のＡ−Ａ線に沿う矢視断面図。
【図５】図１のＢ−Ｂ線に沿う矢視断面図。
【図６】キッチンカウンタの側端部寄りの位置に開口部を設けた場合の不都合を説明するための要部概略斜視図。
【図７】図６の一部分解斜視図。
【発明を実施するための形態】
【００１１】
以下、本発明の実施形態について図面を参照しながら説明する。
【００１２】
図１において、システムキッチン１０は、内部に収納空間を備えたキャビネット１１と、当該キャビネット１１の上部に配置されたキッチンカウンタ１２と、当該キッチンカウンタ１２におけるシンク１４の上部外周側に取り付けられる図示しない水栓とを備えて構成されている。
【００１３】
前記キッチンカウンタ１２は熱硬化性樹脂材料を成形素材とした人造大理石調の成形品により構成されている。このキッチンカウンタ１２は、平面視長方形状の本体２０と、当該本体２０の後端側から起立するバックガード２１と、前端側から垂下する前垂れ２２と、本体２０の右側端部２０Ａの近傍に形成された調理機器用の開口部２５とを備えて構成されている。
【００１４】
前記開口部２５は、前記側端部２０Ａ側の外周部分を本体２０と別体の開口部形成体３０を用いることにより形成されている。この開口部形成体３０は、本体２０と同一の成形材料によって得られたものであり、本実施形態では、幅Ｗが１７ｍｍに設定されているとともに、開口部２５の前後開口幅Ｗ１に対応する長さに設けられている。因みに、本実施形態における開口部形成体３０の長さは４６０ｍｍとなっており、その厚みは１３ｍｍとなっている。
【００１５】
前記開口部形成体３０の長手方向（前後方向）に沿う二箇所位置には、図２及び図３に示されるように、固定用孔３１がそれぞれ形成されている。これらの孔３１に対しては、上方よりねじ３２を挿入し、キャビネット１１の側板上端面１１Ａにねじ３２をねじ込むことによって開口部形成体３０をキャビネット１１に固定することができる。これと前後してキッチンカウンタ１２の本体２０を図示しないＬ字金具やタッピンねじ等を用いてキャビネット１１に固定することで開口部２５が形成でき、その後、開口部２５の領域内に図示しない加熱調理機器を配置することでシステムキッチン１０を形成することができる。なお、加熱調理機器を開口部２５に配置した状態では、そのフランジ部が開口部２５の形成縁よりも外側上面に位置するようになり、従って、開口部形成体３０の上面側から挿入されたねじ３２は隠蔽されることになる。
【００１６】
従って、このような実施形態によれば、開口部２５の前後開口幅Ｗに対応する長さを備えた別体の開口部形成体３０によって前記側端部２０Ａ寄りの外周部分を形成したから、キッチンカウンタ１２を輸送するときや、これを用いた現場施工に際し、前記側端部２０Ａ側が広く開放していることで壁等にぶつかるリスクを低減でき、また、側端部２０Ａの前後各部が壁などにぶつかっても、バックガード２１や前垂れ２２の存在に伴う補強効果によって折損回避を図ることができる。しかも、シンク１４が形成されている側の側端部は、シンク１４を形成する周壁により補強されることになるため、同様に折損防止を図ることができる。
【００１７】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００１８】
例えば、前記実施形態では、開口部形成体３０の幅Ｗを１７ｍｍとしたが、本発明はこれに限定されるものではなく、それより短寸、長寸であってもよい。なお、衝撃の強さ或いはキッチンカウンタの成形材料にも依存することではあるが、開口部形成体３０の幅Ｗが３０ｍｍ以下となる場合において、本発明の効果を有効に発揮することができる。
また、開口部形成体３０の長さは、開口部２５の前後幅Ｗ１と同一である場合に限らず、短寸とすることを妨げない。また、開口部形成体３０の固定は、ねじ以外に、接着剤や両面接着テープを用いて行ってもよい。
更に、キッチンカウンタの厚みも１３ｍｍに限定されるものではない。
また、図示例では、開口部２５がキッチンカウンタ１２の右側となる側端部２０Ａ近傍に位置する場合を示したが、左側の側端部近傍であってもよい。この場合、シンク１４が右側に設けられることとなる。
【符号の説明】
【００１９】
１２…キッチンカウンタ、２０…本体、２０Ａ…側端部、２１…バックガード、２２…前垂れ、２５…開口部、３０…開口部形成体、Ｗ１…開口幅
【図１】
0005118174.tif 000002
【図２】
0005118174.tif 000003
【図３】
0005118174.tif 000004
【図４】
0005118174.tif 000005
【図５】
0005118174.tif 000006
【図６】
0005118174.tif 000007
【図７】
0005118174.tif 000008